(57)【要約】【課題】ベース部と本体部が着脱可能な制御機器において、複数の制御機器を連結する際に位置ずれが生じることのない制御機器を得る。【解決手段】一方の側面にはベース位置決め穴２ａが形成され、他方の側面には、ベース位置決め穴２ａに対向する位置にベース位置決めピン２ｂが形成されるベース部２と、ベース部２と着脱可能な本体部３とを備えた制御機器１において、本体部３は、一方の側面にはケース位置決め穴３ａが形成され、他方の側面には、ケース位置決め穴３ａに対向する位置にケース位置決めピン３ｂが形成され、ケース位置決めピン３ｂ形成部位に弾性変形可能なばね部６が形成される。【選択図】図１
2010141255.tif 000002
【特許請求の範囲】
【請求項１】
一方の側面にはベース位置決め穴が形成され、他方の側面には、前記ベース位置決め穴に対向する位置にベース位置決めピンが形成されるベース部と、
前記ベース部と着脱可能な本体部と
を備えた制御機器において、
前記本体部は、一方の側面にはケース位置決め穴が形成され、他方の側面には、前記ケース位置決め穴に対向する位置にケース位置決めピンが形成され、前記ケース位置決めピン形成部位に弾性変形可能なばね部が形成される
ことを特徴とする制御機器。
【請求項２】
ケース位置決めピンは先端が細く形成されるテーパ形状であることを特徴とする請求項１記載の制御機器。
【請求項３】
ケース位置決めピンは半球形状であることを特徴とする請求項１記載の制御機器。
【請求項４】
ばね部は、本体部にコの字型形状のスリットを形成することにより、片端で保持されるように形成されることを特徴とする請求項１から請求項３のうちいずれか１項記載の制御機器。
【請求項５】
ばね部は、本体部に２本のスリットを形成することにより、両端で保持されるように形成されることを特徴とする請求項１から請求項３のうちいずれか１項記載の制御機器。
【請求項６】
請求項１から請求項５のうちいずれか１項記載の制御機器を連結する際、隣り合うベース部のベース位置合わせ穴とベース位置合わせピンを係合させ、且つ隣り合う本体部のケース位置合わせ穴とケース位置合わせピンとを係合させて、連結したことを特徴とする制御機器の連結構造。
【発明の詳細な説明】
【技術分野】
【０００１】
この発明は、複数連結され、本体部とベース部が着脱可能である制御機器に関するものである。
【背景技術】
【０００２】
アナログプロセス量を制御するモジュール型調整計等の制御機器は、用途に応じて、入出力の種別や機能により最適なモジュールが選択され、複数の機器を接続したユニットとして使用される。最適なユニットに任意に対応するため、また故障時にはモジュール部分のみを交換可能にするため、ベース部（電源、通信機能）はＤＩＮレールに固定したまま、本体部のみを取り外し可能とした構造となっている（例えば特許文献１参照）。
【０００３】
【特許文献１】特開２００６−２６０８２２号公報
【発明の開示】
【発明が解決しようとする課題】
【０００４】
しかしながら、従来の制御機器は、ベース部のみに位置決めのためのピンと該ピンに係合するピン穴を設けているため、ベース部のみの位置を合わせて制御機器を連結しても本体部の位置がずれてしまうため、作業時に連接する機器の位置合わせ作業が必要となるという問題があった。
【０００５】
この発明は上記のような課題を解決するためになされたものであり、ベース部と本体部が着脱可能な制御機器において、複数の制御機器を連結する際に位置ずれが生じることのない制御機器を提供することを目的とする。
【課題を解決するための手段】
【０００６】
この発明に係る制御機器は、一方の側面にはベース位置決め穴が形成され、他方の側面には、ベース位置決め穴に対向する位置にベース位置決めピンが形成されるベース部と、ベース部と着脱可能な本体部とを備えた制御機器において、本体部は、一方の側面にはケース位置決め穴が形成され、他方の側面には、ケース位置決め穴に対向する位置にケース位置決めピンが形成され、ケース位置決めピン形成部位に弾性変形可能なばね部が形成されるものである。
【発明の効果】
【０００７】
この発明によれば、上記のように構成したため、複数の制御機器を連接する際、ベース部のみではなく、本体部に形成されるケース位置決め穴と隣り合う本体部に形成されるケース位置決めピンとを係合させて位置決めが行われるため、位置補正を行うことなく制御機器の本体部の位置を揃えることができる。
【発明を実施するための最良の形態】
【０００８】
以下、この発明の実施の形態を、図面を参照しながら詳細に説明する。
実施の形態１．
図１は、実施の形態１に係る制御機器１を示す図である。図１（ａ）は、実施の形態１に係る制御機器１の左側面図であり、図１（ｂ）は、実施の形態１に係る制御機器１の右側面図であり、図１（ｃ）は、実施の形態１に係る制御機器１の上面図である。
図１に示すように、制御機器１はベース（ベース部）２及びケース（本体部）３により構成される。
【０００９】
ベース２は、電源及び通信機能等の機能を有するものであり、ベース２の裏面の中央部はＤＩＮレール１１に固定される。ベース２の左側面には、図１（ａ）に示すように、上下にベース位置決め穴２ａが２つ形成され、ケース３側の中央部には雌型連結コネクタ４ａが設けられる。また、ベース２の右側面には、図１（ｂ）に示すように、ベース２の左側面に形成されたベース位置決め穴２ａに対向する位置にベース位置決めピン２ｂが形成され、ベース２の左側面に設けられる雌型連結コネクタ４ａに対向する位置に雄型連結コネクタ４ｂが設けられる。また、ベース２のケース３側の下端には係合部５ａが形成され、ベース２のケース３側の上面には、図１（ｃ）に示すように、ケース３をベース２に装着するための係合穴５ｂが形成されている。
【００１０】
ケース３は、内部にＣＰＵや電子部品等の機能部品より構成されたＰＬＣ等が収容されたものである。ケース３の左側面には、図１（ａ）に示すように、ケース３のベース２側とは反対側の上下にケース位置決め穴３ａが２つ形成される。また、ケース３の右側面には、図１（ｂ）に示すように、ケース３の左側面に形成されたケース位置決め穴３ａに対向する位置にケース位置決めピン３ｂが設けられる。このケース位置決めピン３ｂは、先端が細くなるようなテーパ形状に形成される。また、このケース位置決めピン３ｂの左右にはケース位置決めピン３ｂを挟むようにして２本のスリット３ｃが上下方向に形成されており、このスリット３ｃを設けることにより、スリット３ｃに挟まれる内側部分に両端のみで保持され弾性変形可能であるばね部６が形成される。また、ケース３のベース２側の下端には、ベース２に設けられる係合部５ａと係合する係合爪７ａが形成される。また、図１（ｃ）に示すように、ケース３のベース２側の上面には、切り欠き８を２箇所設けることにより弾性変形可能なばね部９が形成されている。このばね部９の先端部分にはベース２に形成される係合穴５ｂと係合するスナップフィット爪７ｂ及び係合穴５ｂとスナップフィット爪７ｂとの係合を解除するボタン１０が形成される。
【００１１】
次に、上記のように構成されるベース２とケース３の着脱について説明する。
図２は、この発明の実施の形態１に係る制御機器１のケース３の着脱を説明するための図である。
図２に示すように、まず、ベース２にケース３を装着する場合には、ベース２のケース３側下端に形成される係合部５ａとケース３のベース２側下端に形成される係合爪７ａとを係合させる。次いで、係合部５ａに係合したケース３を、係合部５ａを回転支点にして回動させ、ベース２の上面に形成される係合穴５ｂにケース３の上面に形成されるスナップフィット爪７ｂを係合させることによりベース２にケース３を装着する。
また、ベース２からケース３を取り外す場合には、ケース３の上面に形成されるボタン１０を押圧することにより、ベース２の上面に形成される係合穴５ｂとケース３の上面に形成されるスナップフィット爪７ｂとの係合が解除される。次いで、ベース２のケース３側下端に形成される係合爪５ａを回転支点としてケース３を回動させ、係合部５ａと係合爪７ａとの係合を解除することにより、ケース３がベース２から取り外される。
【００１２】
次に、上記のように構成されるベース２及びケース２を有する制御機器１の連結について説明する。図３は、この発明の実施の形態１に係る制御機器１の連結を説明するための図である。
【００１３】
すでに設置されている制御機器１に新たな制御機器１を連結する場合、設置されている制御機器１のベース２の左側面に形成されたベース位置決め穴２ａ及びケース３の左側面に形成されたケース位置決め穴３ａと、新たに連結しようとしている制御機器１のベース２の右側面に形成されたベース位置決めピン２ｂ及びケース３の右側面に形成されたケース位置決めピン３ｂとをそれぞれ係合させて位置決めを行い、設置されている制御機器１のベース２の左側面に設けられる雌型連結コネクタ４ａと新たに連結する制御機器１のベース２の右側面に設けられる雄型連結コネクタ４ｂとを接続する。これにより、設置されている制御機器１と新たに連結する制御機器１とが電気的に接続されると共に機械的にも接続され連結される。
ここで、図３に示すように、従来の制御機器１の連結での位置決めとは異なり、ケース３にもケース位置決め穴３ａ及びケース位置決めピン３ｂを形成し、ベース２及びケース３で位置決めを行うことにより、複数の制御機器１を連結する場合に、ケース３の位置がずれることはなくなる。
【００１４】
また、ケース３の右側面に設けたられたケース位置決めピン３ｂ形成部位に、両サイドにスリット３ｃが設けられることにより形成される弾性変形可能なばね部６を構成することにより、複数の制御機器１が連結された状態で、故障等により、あるケース３のみを着脱するような場合に、ケース位置決めピン３ｂをケース３の内側に押し込むことができ、ケース３のみを複数の連結された制御機器１から着脱することができる。また、ケース位置決めピン３ｂは先端が細く形成されるテーパ状に形成されるため、ケース位置決め穴３ａとケース位置決めピン３ｂとの係合を容易に解除することができる。
【００１５】
以上のように、この発明の実施の形態１に係る制御機器１によれば、ケース３は、一方の側面にはケース位置決め穴３ａが形成され、他方の側面には、ケース位置決め穴３ａに対向する位置にケース位置決めピン３ｂが形成され、ケース位置決めピン３ｂ形成部位に弾性変形可能なばね部６が形成されるように構成したことにより、複数の制御機器１を連接する際、ベース２のみではなく、ケース３に形成されるケース位置決め穴３ａと隣り合うケース３に形成されるケース位置決めピン３ｂとを係合させて位置決めが行われるため、位置補正を行うことなく制御機器１のケース３の位置を揃えることができ、さらに、ケース３のケース位置決めピン３ｂの形成部位にばね部６を形成することにより制御機器１連結後のケース３の着脱作業も容易に行うことができる。
【００１６】
なお、この発明の実施の形態１に係る制御機器１では、ケース３の位置決めピン３ｂの形成部位に形成されるばね部６は、直線形状のスリット３ｃを２本形成することにより、両端で保持されるように形成したが、これに限るものではなく、図４に示すように、ばね部６は、コの字型形状のスリット３ｄを形成することにより、片端のみが保持されるように形成してよい。また、この場合のケース位置決めピン３ｂは、ばね部６の自由端側の先端に位置するように構成される。
【００１７】
また、この発明の実施の形態１に係る制御機器１では、ケース３の位置決めピン３ｂの形成部位に形成されるスリット３ｃ，３ｄはケース３の上下方向に形成して説明したが、これに限るものではなく、横方向に形成してもよい。
【００１８】
また、この発明の実施の形態１に係る制御機器では、ばね部６上に形成されるケース位置決めピン３ｂは、図１（ｂ）に示すように、２本のスリット３ｃを形成する場合には中央に配置し、図４に示すように、コの字型形状のスリット３ｄを形成する場合には先端に配置するようにしたが、ばね部６上であればどの位置に形成されてもよい。
【００１９】
また、この発明の実施の形態１に係る制御機器１では、ケース３に形成されるケース位置決めピン３ｂはテーパ形状として説明したが、ケース位置決めピン３ｂを半球状に構成してもよい。
【図面の簡単な説明】
【００２０】
【図１】この発明の実施の形態１に係る制御機器の構造を示す図である。
【図２】この発明の実施の形態１に係る制御機器のケースの着脱を説明するための図である。
【図３】この発明の実施の形態１に係る制御機器の連結について説明するための図である。
【図４】この発明の実施の形態１に係る制御機器のばね部の他の例を示す図である。
【符号の説明】
【００２１】
１  制御機器
２  ベース部
２ａ  ベース位置決め穴
２ｂ  ベース位置決めピン
３  ケース
３ａ  ケース位置決め穴
３ｂ  ケース位置決めピン
３ｃ  スリット
３ｄ  コの字型形状のスリット
４ａ  雌型連結コネクタ
４ｂ  雄型連結コネクタ
５ａ  係合部
５ｂ  係合穴
６  ばね部
７ａ  係合爪
７ｂ  スナップフィット爪
８  切り欠き
９  ばね部
１０  ボタン
１１  ＤＩＮレール
【図１】
2010141255.tif 000003
【図２】
2010141255.tif 000004
【図３】
2010141255.tif 000005
【図４】
2010141255.tif 000006